(57)【要約】  周方向溝の放熱性を向上させて、周方向溝によるトレッド部の冷却効果を高くする。  ブロック（３１）は、横溝（１４）が第１周方向溝（１１）に開口する位置から気流の上流側（Ｇ）に向かって形成された第１壁面（３２）と、横溝（１４）が第２周方向溝（１２）に開口する位置から気流の上流側（Ｇ）に向かって形成された第２壁面（３３）と、横溝（１４）が第２周方向溝（１２）に開口する位置に形成されたブロック角部（３５）を有する。上流側（Ｇ）のブロック（３１）の第２壁面（３３）を延長した仮想面（３７）は、下流側（Ｈ）のブロック（３１）のブロック角部（３５）と交わり、又は、ブロック角部（３５）からタイヤ幅方向（Ｋ）に離れた第２周方向溝（１２）内の位置を通過する。第１周方向溝（１１）の溝幅（Ｗ）は、第１壁面（３２）において、気流の下流側（Ｈ）に向かって次第に広くなる。
2016147843.tif 000002
【特許請求の範囲】
【請求項１】
第１周方向溝と、第１周方向溝のタイヤ幅方向の両側に隣接する２つの第２周方向溝と、第１周方向溝と第２周方向溝に開口する複数の横溝と、第１周方向溝、２つの第２周方向溝、及び、複数の横溝によりトレッド部に区画された複数のブロックと、を備え、車両走行時に、タイヤ回転方向の反対方向の気流が第１周方向溝と２つの第２周方向溝内に生じるタイヤであって、
複数のブロックの各ブロックは、気流の下流側の横溝が第１周方向溝に開口する位置から気流の上流側に向かって形成された第１壁面と、気流の下流側の横溝が第２周方向溝に開口する位置から気流の上流側に向かって形成された第２壁面と、気流の上流側の横溝が第２周方向溝に開口する位置に形成されたブロック角部と、を有し、
タイヤ周方向に隣り合う気流の上流側と下流側の２つのブロックをみたときに、上流側のブロックの第２壁面を気流の下流側で延長した仮想面は、下流側のブロックのブロック角部と交わり、又は、ブロック角部からタイヤ幅方向に離れた第２周方向溝内の位置を通過し、
第１周方向溝の溝幅は、ブロックの第１壁面において、気流の下流側に向かって次第に広くなるタイヤ。
【請求項２】
請求項１に記載されたタイヤにおいて、
タイヤ周方向に隣り合う気流の上流側と下流側の２つのブロックをみたときに、上流側のブロックの第１壁面を気流の下流側で延長した仮想面は、２つのブロックの間の横溝の内側に向かって延長されるタイヤ。
【請求項３】
請求項１又は２に記載されたタイヤにおいて、
ブロックの第１壁面は、タイヤ周方向に対して、気流の下流側の横溝の内側に向かって傾斜するタイヤ。
【請求項４】
請求項１ないし３のいずれかに記載されたタイヤにおいて、
ブロックの第１壁面は、気流の下流側の横溝の内側に向かって湾曲する湾曲面であるタイヤ。
【請求項５】
請求項１ないし３のいずれかに記載されたタイヤにおいて、
ブロックの第１壁面は、タイヤ周方向に対して、気流の下流側の横溝の内側に向かって傾斜する平面であるタイヤ。
【請求項６】
請求項１ないし５のいずれかに記載されたタイヤにおいて、
第１周方向溝は、トレッド中央部に配置され、
タイヤ周方向に隣り合う気流の上流側と下流側の２つのブロックをみたときに、上流側のブロックの第２壁面を気流の下流側で延長した仮想面は、下流側のブロックのブロック角部と交わり、又は、ブロック角部のタイヤ幅方向外側で第２周方向溝内の位置を通過するタイヤ。
【請求項７】
請求項１ないし６のいずれかに記載されたタイヤにおいて、
第１周方向溝の溝幅は、横溝の溝幅よりも広く、
横溝の溝幅は、第２周方向溝の溝幅よりも広いタイヤ。
【発明の詳細な説明】
【技術分野】
【０００１】
本発明は、トレッド部に複数のブロックを備えたタイヤに関する。
【背景技術】
【０００２】
従来、複数のブロックを有するブロックパターンは、重荷重用タイヤ等の様々なタイヤのトレッド部に形成されている。このようなタイヤを装着した車両の走行時には、タイヤのトレッド部内で部材が変形することで、トレッド部に歪が生じる。また、ゴムの粘弾特性に起因して、トレッド部が発熱し、トレッド部の温度が上昇する。トレッド部の歪と温度はトレッド部の耐久性に影響する主要な因子であり、トレッド部の耐久性を向上するためには、トレッド部に生じる歪と温度上昇に対処する必要がある。【０００３】
これに対し、従来のタイヤでは、主に、補強部材をトレッド部内に追加し、或いは、トレッド部の剛性を高くして、トレッド部での歪の発生を抑制している。ところが、この場合には、タイヤ内の部材の数とタイヤの重量が増加するとともに、タイヤのコストが高くなる虞がある。そのため、トレッド部の耐久性に関しては、トレッド部を効果的に冷却して、温度の上昇を抑制することが求められている。また、トレッド部の内部構造やタイヤの使用条件等に対応して、トレッド部内の特定の周方向溝の周辺部で、トレッド部の冷却が重要となることがあり、そのような要求の実現も求められる。【０００４】
ここで、複数のブロックを備えたタイヤにおいては、一般に、複数のブロックが複数の周方向溝の間に配置されて、複数の横溝がブロックの間に形成される。このようなタイヤでは、周方向溝内に生じる気流により、放熱が促進されて、トレッド部が冷却される。しかしながら、周方向溝内の気流を制御して、周方向溝の放熱性を調整するのは難しい。そのため、特定の周方向溝のタイヤ幅方向両側に複数のブロックを備えたタイヤにおいては、複数のブロックの間の周方向溝に比べて、複数のブロックのタイヤ幅方向外側の周方向溝で、放熱が多くなることがある。この場合には、複数のブロックの間の周方向溝によるトレッド部の冷却効果を高くできず、周方向溝の放熱性を向上させるのは難しい。【０００５】
特に、トレッド中央部では、摩耗ライフの向上のために、トレッドゴムを厚くすることが求められており、温度上昇への対処が重要になっている。しかしながら、トレッド中央部の周方向溝のタイヤ幅方向両側に複数のブロックを備えたタイヤにおいては、トレッド中央部の周方向溝に比べて、複数のブロックのタイヤ幅方向外側の周方向溝で、放熱が多くなることがある。この場合には、トレッド中央部の周方向溝によるトレッド部の冷却効果を高くできない。従って、トレッド中央部で、トレッド部の温度の上昇を抑制するのは難しい。【０００６】
また、従来、ショルダーブロック列に形成したブロック溝により、トレッド部の温度の上昇を抑制するタイヤが知られている（特許文献１参照）。
ところが、特許文献１に記載された従来のタイヤでは、ブロック溝をブロックの踏面にタイヤ周方向に沿って形成する必要がある。そのため、ブロックの形状やブロックに求められる性能によっては、ブロック溝を形成できないことがある。
【先行技術文献】
【特許文献】
【０００７】
【特許文献１】特開２０１０−１２５９９８号公報
【発明の概要】
【発明が解決しようとする課題】
【０００８】
本発明は、前記従来の問題に鑑みなされたもので、その目的は、周方向溝のタイヤ幅方向両側に複数のブロックを備えたタイヤにおいて、周方向溝の放熱性を向上させて、周方向溝によるトレッド部の冷却効果を高くすることである。
【課題を解決するための手段】
【０００９】
本発明は、第１周方向溝と、第１周方向溝のタイヤ幅方向の両側に隣接する２つの第２周方向溝と、第１周方向溝と第２周方向溝に開口する複数の横溝と、第１周方向溝、２つの第２周方向溝、及び、複数の横溝によりトレッド部に区画された複数のブロックと、を備えたタイヤである。車両走行時に、タイヤ回転方向の反対方向の気流が第１周方向溝と２つの第２周方向溝内に生じる。複数のブロックの各ブロックは、気流の下流側の横溝が第１周方向溝に開口する位置から気流の上流側に向かって形成された第１壁面と、気流の下流側の横溝が第２周方向溝に開口する位置から気流の上流側に向かって形成された第２壁面と、気流の上流側の横溝が第２周方向溝に開口する位置に形成されたブロック角部と、を有する。タイヤ周方向に隣り合う気流の上流側と下流側の２つのブロックをみたときに、上流側のブロックの第２壁面を気流の下流側で延長した仮想面は、下流側のブロックのブロック角部と交わり、又は、ブロック角部からタイヤ幅方向に離れた第２周方向溝内の位置を通過する。第１周方向溝の溝幅は、ブロックの第１壁面において、気流の下流側に向かって次第に広くなる。
【発明の効果】
【００１０】
本発明によれば、周方向溝のタイヤ幅方向両側に複数のブロックを備えたタイヤにおいて、周方向溝の放熱性を向上させて、周方向溝によるトレッド部の冷却効果を高くすることができる。
【図面の簡単な説明】
【００１１】
【図１】第１実施形態のタイヤのトレッドパターンを示す平面図である。
【図２】図１の一部を示す平面図である。
【図３】湾曲形状に形成された第２ブロック角部を示す平面図である。
【図４】タイヤのブロックを示す平面図である。
【図５】タイヤのブロックを示す平面図である。
【図６】タイヤのブロックを示す平面図である。
【図７】第２実施形態のタイヤのトレッドパターンを示す平面図である。
【図８】図７の一部を示す平面図である。
【図９】タイヤのブロックを示す平面図である。
【図１０】タイヤのブロックを示す平面図である。
【図１１】タイヤのブロックを示す平面図である。
【図１２】従来品のトレッドパターンを示す平面図である。
【図１３】従来品のトレッドパターンを示す平面図である。
【発明を実施するための形態】
【００１２】
本発明のタイヤの一実施形態について、図面を参照して説明する。
本実施形態のタイヤは、車両用の空気入りタイヤ（例えば、重荷重用タイヤ、乗用車用タイヤ）であり、一般的なタイヤ構成部材により、周知の構造に形成されている。即ち、タイヤは、一対のビード部と、一対のビード部のタイヤ半径外側に位置する一対のサイドウォール部と、路面に接するトレッド部と、トレッド部と一対のサイドウォール部の間に位置する一対のショルダー部を備えている。また、タイヤは、一対のビードコアと、一対のビードコアの間に配置されたカーカスと、カーカスの外周側に配置されたベルトと、所定のトレッドパターンを有するトレッドゴムを備えている。
【００１３】
（第１実施形態）
図１は、第１実施形態のタイヤ１のトレッドパターンを示す平面図であり、トレッド部２のタイヤ周方向Ｓの一部を模式的に示している。
なお、タイヤ１は、車両前進時の回転方向が指定されるタイヤであり、車両前進時にタイヤ回転方向Ｒに回転する。タイヤ回転方向Ｒは、タイヤ１のトレッドパターンに対応して指定される。タイヤ１は、タイヤ回転方向Ｒが適合するように車両に装着される。また、タイヤ１のトレッド中央部３は、トレッド部２のタイヤ幅方向Ｋの中央部であり、タイヤ赤道面は、トレッド中央部３に位置する。タイヤ１のショルダー部４は、トレッド部２のタイヤ幅方向Ｋの外側に位置する。
【００１４】
図示のように、タイヤ１は、トレッド部２に、複数の周方向溝（第１周方向溝１１、第２周方向溝１２）と、複数のラグ溝１３と、複数の横溝１４と、複数のブロック列（ショルダーブロック列２０、制御ブロック列３０）を備えている。第１周方向溝１１と第２周方向溝１２は、タイヤ周方向Ｓに延びる主溝（周方向主溝）であり、それぞれタイヤ周方向Ｓに沿って連続して形成されている。また、第１周方向溝１１は、トレッド部２に形成された複数の周方向溝の内の、放熱性を向上すべき周方向溝である。２つの第２周方向溝１２が、１つの第１周方向溝１１のタイヤ幅方向Ｋの両側に隣接して、第１周方向溝１１の放熱性の向上を補助する。第１周方向溝１１は、２つの第２周方向溝１２の間に配置されて、両側の２つの第２周方向溝１２とともに周方向溝の組を構成する。
【００１５】
タイヤ１は、１つの第１周方向溝１１と２つの第２周方向溝１２からなる周方向溝の組を２つ備えており、２つの第１周方向溝１１と３つの第２周方向溝１２を有する。２つの第１周方向溝１１は、トレッド中央部３のタイヤ幅方向Ｋの両側に形成され、それぞれ２つの第２周方向溝１２の間に配置されている。３つの第２周方向溝１２の内、１つの第２周方向溝１２は、トレッド中央部３に形成され、２つの第１周方向溝１１のタイヤ幅方向Ｋの内側に配置されている。また、２つの第２周方向溝１２は、トレッド中央部３の両側において、それぞれ第１周方向溝１１とショルダー部４（トレッド端）の間に形成され、第１周方向溝１１のタイヤ幅方向Ｋの外側に配置されている。トレッド中央部３の第２周方向溝１２は、２つの第１周方向溝１１の間に配置されて、２つの第１周方向溝１１のそれぞれと周方向溝の組を構成する。２つの第１周方向溝１１は、それぞれトレッド中央部３の第２周方向溝１２とショルダー部４側の第２周方向溝１２の間に配置される。
【００１６】
第１周方向溝１１と第２周方向溝１２により、トレッド部２が区画されて、複数のブロック列（２つのショルダーブロック列２０、４つの制御ブロック列３０）がトレッド部２に形成されている。ショルダーブロック列２０と制御ブロック列３０は、タイヤ周方向Ｓに沿って延びる陸部であり、それぞれ複数のブロック２１、３１を有する。
【００１７】
ショルダーブロック列２０は、複数のラグ溝１３を有し、トレッド部２内でタイヤ幅方向Ｋの最外側に配置されている。ラグ溝１３は、タイヤ幅方向Ｋに延び、第２周方向溝１２からショルダー部４まで形成されている。ショルダーブロック列２０の複数のブロック２１は、タイヤ周方向Ｓに順次配置され、ラグ溝１３は、タイヤ周方向Ｓに隣り合うブロック２１の間に形成されている。また、ラグ溝１３は、第２周方向溝１２のショルダー部４側に形成されて、第２周方向溝１２に開口する。タイヤ１は、各ラグ溝１３内に形成された隆起部１５を備えている。隆起部１５は、ラグ溝１３の溝底から隆起して、ラグ溝１３の両側の溝壁（ブロック２１の壁面）を連結する。ここでは、隆起部１５は、タイバーである。ラグ溝１３の少なくとも一部は、隆起部１５により第２周方向溝１２よりも浅くなっている。
【００１８】
制御ブロック列３０は、第１周方向溝１１と第２周方向溝１２内の気流を制御するためのブロック列であり、第１周方向溝１１と第２周方向溝１２の間に形成されている。また、制御ブロック列３０は、複数の横溝１４を有し、第１周方向溝１１のタイヤ幅方向Ｋの両側に配置されている。複数の横溝１４は、タイヤ幅方向Ｋに延びる幅方向溝であり、各制御ブロック列３０において、第１周方向溝１１から第２周方向溝１２まで形成されている。また、複数の横溝１４は、第１周方向溝１１と各第２周方向溝１２の間に形成されて、第１周方向溝１１と第２周方向溝１２に開口する。
【００１９】
制御ブロック列３０の複数のブロック３１は、タイヤ周方向Ｓに順次配置され、横溝１４は、タイヤ周方向Ｓに隣り合うブロック３１の間に形成されている。複数の横溝１４は、第１周方向溝１１のタイヤ幅方向Ｋの一方側と他方側とに形成され、第１周方向溝１１からタイヤ幅方向Ｋの両方向に向かって延びる。また、第１周方向溝１１のタイヤ幅方向Ｋの一方側と他方側の横溝１４は、タイヤ周方向Ｓに沿って交互に配置されて、第１周方向溝１１に交互に開口する。
【００２０】
このように、タイヤ１は、第１周方向溝１１のタイヤ幅方向Ｋの両側に形成された複数のブロック３１と複数の横溝１４を備えている。複数のブロック３１と複数の横溝１４は、２つの第２周方向溝１２の間に配置される。また、複数の横溝１４は、タイヤ周方向Ｓに離して配置されて、第１周方向溝１１と第２周方向溝１２の間の制御ブロック列３０を横断する。第１周方向溝１１、２つの第２周方向溝１２、及び、複数の横溝１４により、複数のブロック３１がトレッド部２に区画され、各ブロック３１がタイヤ半径方向外側からみて所定の多角形状に形成される。
【００２１】
タイヤ１は、車両に装着されて、車両の走行（前進）に伴い、タイヤ回転方向Ｒに回転する。車両の前進による車両走行時（タイヤ回転時）には、所定方向の気流が第１周方向溝１１と第２周方向溝１２内に生じる。気流は、タイヤ１の回転により生じる相対的な空気の流れ（風）であり、タイヤ回転方向Ｒの反対方向に生じる。図１に示す矢印Ｆが、第１周方向溝１１と第２周方向溝１２内に生じる気流の方向である。同じ方向の気流が、第１周方向溝１１と第２周方向溝１２内に生じる。第１実施形態のタイヤ１では、第１周方向溝１１と各第２周方向溝１２の間に形成された制御ブロック列３０の複数のブロック３１により、気流を制御して、第１周方向溝１１と第２周方向溝１２の放熱性を調整する。これにより、第１周方向溝１１の放熱性を向上させている。以下、放熱性の調整について詳しく説明する。
【００２２】
図２は、図１の一部を示す平面図であり、図１を右回りに９０°回転させた状態で、一方（図１の左方）の第１周方向溝１１と２つの第２周方向溝１２を示している。他方（図１の右方）の第１周方向溝１１と２つの第２周方向溝１２は、以下説明する一方の第１周方向溝１１と２つの第２周方向溝１２と同じ構成を有する。
図示のように、タイヤ１は、１つの第１周方向溝１１と、第１周方向溝１１のタイヤ幅方向Ｋの両側に配置された２つの第２周方向溝１２を備えている。複数のブロック３１の各ブロック３１は、第１周方向溝１１側の第１壁面３２と、第２周方向溝１２側の第２壁面３３と、第１周方向溝１１側の第１ブロック角部３４と、第２周方向溝１２側の第２ブロック角部３５を有する。第１周方向溝１１と２つの第２周方向溝１２内で（気流方向Ｆ参照）、空気は、気流の上流側Ｇから気流の下流側Ｈに向かって流れて、トレッド部２を冷却する。
【００２３】
ブロック３１の第１壁面３２は、気流の下流側Ｈの横溝１４が第１周方向溝１１に開口する位置から、気流の上流側Ｇに向かって形成されている。ブロック３１の第２壁面３３は、気流の下流側Ｈの横溝１４が第２周方向溝１２に開口する位置から、気流の上流側Ｇに向かって形成されている。第１壁面３２は、第１周方向溝１１内に位置し、第２壁面３３は、第２周方向溝１２内に位置する。ここでは、第１壁面３２は、タイヤ周方向Ｓに対して、気流の下流側Ｈの横溝１４の内側に向かって傾斜する湾曲面である。第１壁面３２は、気流の下流側Ｈに向かって、タイヤ周方向Ｓに対して、第１周方向溝１１の溝幅方向の外側に傾斜する。また、第１壁面３２は、円弧状に湾曲する凸面であり、周囲のブロック３１の壁面に滑らかに接続する。ブロック３１の第１周方向溝１１側で、第１壁面３２は、気流の下流側Ｈの横溝１４の内側に向かって湾曲する。これに対し、第２壁面３３は、気流の下流側Ｈに向かって、タイヤ周方向Ｓに対して、第２周方向溝１２の溝幅方向の外側に傾斜する平面である。第２壁面３３は、２つの第２周方向溝１２の間の第１周方向溝１１側に傾斜する。
【００２４】
ブロック３１の第１ブロック角部３４は、気流の上流側Ｇの横溝１４が第１周方向溝１１に開口する位置に形成されたブロック３１の角部であり、横溝１４内のブロック３１の壁面と第１周方向溝１１内のブロック３１の壁面とが交わる位置に形成されている。ブロック３１の第２ブロック角部３５は、気流の上流側Ｇの横溝１４が第２周方向溝１２に開口する位置に形成されたブロック３１の角部であり、横溝１４内のブロック３１の壁面と第２周方向溝１２内のブロック３１の壁面とが交わる位置に形成されている。ブロック３１の壁面は、第１ブロック角部３４と第２ブロック角部３５を境界として、それぞれ異なる方向に向かって形成されている。
【００２５】
第１周方向溝１１の溝幅Ｗは、ブロック３１の第１壁面３２において、気流の下流側Ｈ（下流側Ｈの横溝１４）に向かって次第に広くなる。また、タイヤ周方向Ｓに隣り合う気流の上流側Ｇと下流側Ｈの２つのブロック３１をみたときに、上流側Ｇのブロック３１の第１壁面３２を延長した仮想面（第１仮想面）３６は、第１周方向溝１１の溝幅方向の外側に延長される。第１仮想面３６は、第１壁面３２を気流の下流側Ｈで仮想的に延長した延長面（仮想延長面）であり、第１壁面３２と同一面をなすように、第１壁面３２から滑らかに連続する。制御ブロック列３０の全てのブロック３１において、上流側Ｇのブロック３１の第１仮想面３６は、下流側Ｈのブロック３１の第１ブロック角部３４に交わることなく、２つのブロック３１の間の横溝１４（下流側Ｈの横溝１４）の内側に向かって延長される。第１仮想面３６は、横溝１４を通過して、横溝１４内で下流側Ｈのブロック３１（ブロック３１の壁面）と交わる。或いは、第１仮想面３６は、横溝１４を通過して、第２周方向溝１２まで延長される。
【００２６】
タイヤ周方向Ｓに隣り合う気流の上流側Ｇと下流側Ｈの２つのブロック３１をみたときに、上流側Ｇのブロック３１の第２壁面３３を延長した仮想面（第２仮想面）３７は、２つのブロック３１の間の横溝１４（下流側Ｈの横溝１４）の外側に位置する。第２仮想面３７は、第２壁面３３を気流の下流側Ｈで仮想的に延長した延長面（仮想延長面）であり、第２壁面３３と同一面をなすように、第２壁面３３から滑らかに連続する。また、第２仮想面３７は、下流側Ｈのブロック３１に向かって延長されて、第２周方向溝１２に沿って配置される。制御ブロック列３０の全てのブロック３１において、上流側Ｇのブロック３１の第２仮想面３７は、下流側Ｈのブロック３１の第２ブロック角部３５と交わる。又は、第２仮想面３７は、第２ブロック角部３５をタイヤ幅方向Ｋに逸れて、下流側Ｈのブロック３１を区画する第２周方向溝１２内の位置を通過する。第２仮想面３７が第２周方向溝１２内の位置を通過するときには、第２仮想面３７は、気流の下流側Ｈにおいて、第２ブロック角部３５からタイヤ幅方向Ｋに離れた第２周方向溝１２内の位置を通過する。また、第２仮想面３７は、第２周方向溝１２内で、下流側Ｈのブロック３１（ブロック３１の壁面）と交わる。
【００２７】
以上説明したタイヤ１では、第２仮想面３７が第２ブロック角部３５と交わり、又は、第２周方向溝１２内の位置を通過するため、第２壁面３３に沿って流れた空気が横溝１４内に流入し難くなる。そのため、空気が第２周方向溝１２から横溝１４及び第１周方向溝１１に流入するのが抑制され、第１周方向溝１１内で、空気の逆流、渦流、及び、滞留が生じるのが防止される。第１周方向溝１１内の空気は、横溝１４から流入する空気により乱されることなく、第１周方向溝１１内を下流側Ｈに向かって円滑に流れる。これに伴い、第１周方向溝１１内で、冷却媒体である空気の流量が増加して、トレッド部２の冷却が促進される。また、第２周方向溝１２内の気流が第２ブロック角部３５を逸れることで、第２ブロック角部３５で空気の圧力が上昇するのが抑制される。
【００２８】
第１周方向溝１１の溝幅Ｗが第１壁面３２において次第に広くなるため、第１壁面３２の周辺の空気の圧力が、気流の下流側Ｈに向かって次第に低くなる。これに伴い、第１周方向溝１１内で、空気が第１壁面３２の上流側Ｇから第１壁面３２の周辺に向かって引かれて、気流が加速される。また、気流が第１ブロック角部３４に当たることで、第１ブロック角部３４で空気の圧力が上昇する。その結果、横溝１４内で、第１ブロック角部３４における空気の圧力が第２ブロック角部３５における空気の圧力よりも高くなり、空気が第１ブロック角部３４から第２ブロック角部３５に向かって流れる。これにより、第１周方向溝１１から横溝１４に向かう気流が生じて、空気が横溝１４から第１周方向溝１１に流入するのが抑制される。また、第１周方向溝１１内の気流が、より加速される。第１周方向溝１１のタイヤ幅方向Ｋの両側に位置する第２周方向溝１２及び複数のブロック３１により、気流が第１周方向溝１１に集中し、第１周方向溝１１内の気流が、より一層加速される。
【００２９】
このように、タイヤ１では、車両走行時の気流を制御して、第１周方向溝１１と第２周方向溝１２の放熱性を調整することができる。また、第１周方向溝１１内で、気流を加速することで、放熱を促進することができる。従って、第１周方向溝１１の放熱性を向上させて、第１周方向溝１１によるトレッド部２の冷却効果を高くすることができる。これに伴い、第１周方向溝１１及び第１周方向溝１１の周辺部で、トレッド部２を冷却して、トレッド部２の温度の上昇を抑制することができる。トレッド部２内で、発熱が生じ易いベルトの周辺の温度を低下させることで、トレッド部２の耐久性を効果的に向上することができる。トレッド部２のトレッドゴムを厚くできるため、タイヤ１の摩耗ライフを向上することもできる。
【００３０】
第１仮想面３６が横溝１４の内側に向かって延長されるときには、第１壁面３２に沿って流れた空気が横溝１４内に流入し易くなる。また、第１壁面３２が気流の下流側Ｈの横溝１４の内側に向かって傾斜することで、空気が第１周方向溝１１から横溝１４に向かって流れ易くなる。第１壁面３２が湾曲面であるときには、空気が第１壁面３２に沿って円滑に流れて、横溝１４に向かう気流が生じ易くなる。これらに伴い、第１壁面３２の周辺で空気の圧力を確実に低くできるとともに、第１周方向溝１１内の気流を更に加速することができる。
【００３１】
横溝１４の溝幅が第１周方向溝１１の溝幅Ｗよりも広いときには、第２周方向溝１２からの空気の流入が多くなり、第１周方向溝１１内で空気の逆流が生じ易くなる。同様に、第２周方向溝１２の溝幅が横溝１４の溝幅よりも広いときには、第１周方向溝１１への空気の逆流が生じ易くなり、第１周方向溝１１による冷却効果に影響が生じる虞がある。従って、第１周方向溝１１の溝幅Ｗは、横溝１４の溝幅よりも広いのが好ましく、横溝１４の溝幅は、第２周方向溝１２の溝幅よりも広いのが好ましい。これにより、空気の逆流をより確実に抑制することができる。また、第１周方向溝１１の溝幅Ｗが横溝１４の溝幅及び第２周方向溝１２の溝幅よりも広いため、第１周方向溝１１内の空気の流量を増加させて、第１周方向溝１１による冷却効果を向上させることができる。
【００３２】
なお、第１周方向溝１１の溝幅Ｗは、少なくとも第１壁面３２において、気流の下流側Ｈに向かって次第に広くなっていればよい。従って、第１壁面３２に加えて、第１壁面３２の上流側Ｇで、第１周方向溝１１の溝幅Ｗを気流の下流側Ｈに向かって次第に広くしてもよい。また、第２周方向溝１２とショルダー部４の間には、ラグ溝１３を形成せずに、タイヤ周方向Ｓに延びるリブを配置してもよい。第１ブロック角部３４と第２ブロック角部３５は、屈曲形状に形成された角部であってもよく、湾曲形状に形成された角部であってもよい。
【００３３】
図３は、湾曲形状に形成された第２ブロック角部３５を示す平面図である。
この場合には、図示のように、第２仮想面３７は、例えば、仮想交差位置３８を通って、第２ブロック角部３５と交わる。仮想交差位置３８は、第２ブロック角部３５の両側のブロック３１の壁面３１Ａ、３１Ｂを延長した仮想面が交差する位置である。一方の壁面３１Ａは、横溝１４内のブロック３１の壁面であり、他方の壁面３１Ｂは、第２周方向溝１２内のブロック３１の壁面である。第２ブロック角部３５を湾曲形状に形成することで、空気が横溝１４から第２周方向溝１２に流れ易くなる。
【００３４】
次に、ブロックの他の例について説明する。以下の各ブロックは、ブロック３１の一部の形状を変更した例であり、上記した効果と同様の効果を発揮する。各ブロックについて、ブロック３１と同じ構成にはブロック３１と同じ名称を付し、各構成の詳細な説明は省略する。また、以下の説明では、既に説明した事項と同じ事項の説明は省略する。
図４〜図６は、タイヤ１のブロック４１、５１、６１を示す平面図であり、図２と同様に、ブロック４１、５１、６１を含むトレッドパターンの一部を示している。
【００３５】
図４に示すブロック４１は、第１壁面４２と、第２壁面４３と、第１ブロック角部４４と、第２ブロック角部４５を有する。第１仮想面４６は、第１壁面４２を延長した延長面であり、第２仮想面４７は、第２壁面４３を延長した延長面である。ここでは、第１壁面４２のみが、ブロック３１の第１壁面３２と相違する。ブロック４１の第１壁面４２は、タイヤ周方向Ｓに対して、気流の下流側Ｈの横溝１４の内側に向かって傾斜する平面である。第１壁面４２は、気流の下流側Ｈに向かって、タイヤ周方向Ｓに対して、第１周方向溝１１の溝幅方向の外側に傾斜する。この第１壁面４２では、空気が第１周方向溝１１から横溝１４に向かって流れ易くなる。そのため、第１壁面４２の周辺で空気の圧力を確実に低くできるとともに、第１周方向溝１１内の気流を更に加速することができる。
【００３６】
図５に示すブロック５１では、ブロック５１をタイヤ半径方向外側からみた平面図において、ブロック５１が、タイヤ周方向Ｓの中心を通る中心線５８に関し線対称に形成されている。そのため、ブロック５１は、中心線５８の両側に、第１壁面５２と、第２壁面５３と、第１ブロック角部５４と、第２ブロック角部５５を有する。また、第１仮想面５６は、中心線５８の両側の第１壁面５２を延長した延長面であり、第２仮想面５７は、中心線５８の両側の第２壁面５３を延長した延長面である。第２壁面５３は、気流の下流側Ｈに向かって、タイヤ周方向Ｓに対して、第２周方向溝１２の溝幅方向の内側に傾斜する平面である。２つの第２壁面５３は、中心線５８で交わる。このブロック５１では、タイヤ回転方向Ｒをタイヤ周方向Ｓの両方向に設定することができる。即ち、気流方向Ｆが反対方向になったときでも、ブロック５１は、ブロック３１と同様の条件を満たし、ブロック３１と同様に作用する。従って、タイヤ装着時に、タイヤ回転方向Ｒを指定する必要がなく、ユーザの利便性が向上する。
【００３７】
図６に示すブロック６１では、ブロック５１と同様に、ブロック６１をタイヤ半径方向外側からみた平面図において、ブロック６１が、タイヤ周方向Ｓの中心を通る中心線６８に関し線対称に形成されている。そのため、ブロック６１は、中心線６８の両側に、第１壁面６２と、第２壁面６３と、第１ブロック角部６４と、第２ブロック角部６５を有する。また、第１仮想面６６は、中心線６８の両側の第１壁面６２を延長した延長面であり、第２仮想面６７は、中心線６８の両側の第２壁面６３を延長した延長面である。ブロック６１の第１壁面６２は、ブロック４１の第１壁面４２と同様に、タイヤ周方向Ｓに対して、気流の下流側Ｈの横溝１４の内側に向かって傾斜する平面である。第２壁面６３は、気流の下流側Ｈに向かって、タイヤ周方向Ｓに対して、第２周方向溝１２の溝幅方向の内側に傾斜する平面である。２つの第２壁面６３は、中心線６８で交わる。このブロック６１では、ブロック５１と同様に、タイヤ回転方向Ｒをタイヤ周方向Ｓの両方向に設定することができる。即ち、気流方向Ｆが反対方向になったときでも、ブロック６１は、ブロック３１と同様の条件を満たし、ブロック３１と同様の効果を発揮する。従って、タイヤ装着時に、タイヤ回転方向Ｒを指定する必要がなく、ユーザの利便性が向上する。
【００３８】
なお、以上説明した第１実施形態は、１つの第１周方向溝１１と２つの第２周方向溝１２からなる周方向溝の組を２つ備えたタイヤ１の例である。タイヤ１は、少なくとも１つの周方向溝の組を備えていればよい。従って、１つの周方向溝の組をタイヤ１に形成してもよく、２つ以上の周方向溝の組をタイヤ１に形成してもよい。
【００３９】
（第２実施形態）
図７は、第２実施形態のタイヤ５のトレッドパターンを示す平面図であり、図１と同様に、トレッド部２のタイヤ周方向Ｓの一部を模式的に示している。図８は、図７の一部を示す平面図であり、図７を右回りに９０°回転させた状態で、２つの第２周方向溝１２の間の部分を示している。
第２実施形態のタイヤ５は、第１実施形態のタイヤ１の一部を変更した例であり、タイヤ１と同様の効果を発揮する。タイヤ５について、タイヤ１と同じ構成にはタイヤ１と同じ名称を付し、各構成の詳細な説明は省略する。また、以下の説明では、既に説明した事項と同じ事項の説明は省略する。
【００４０】
図示のように、タイヤ５は、トレッド部２に、１つの第１周方向溝１１と、２つの第２周方向溝１２と、複数のラグ溝１３と、複数の横溝１４と、２つのショルダーブロック列２０と、２つの制御ブロック列３０を備えている。第１周方向溝１１は、トレッド中央部３に配置され、２つの第２周方向溝１２は、第１周方向溝１１のタイヤ幅方向Ｋの両側に隣接する。第１周方向溝１１は、トレッド部２の中央周方向溝であり、２つの第２周方向溝１２の間に配置されている。第２周方向溝１２は、第１周方向溝１１のタイヤ幅方向Ｋの外側に形成された外側周方向溝であり、第１周方向溝１１とショルダー部４（トレッド端）の間に配置されている。２つの第２周方向溝１２は、トレッド中央部３及び第１周方向溝１１のタイヤ幅方向Ｋの両側に配置されるとともに、それぞれトレッド中央部３とショルダー部４の間に配置されている。
【００４１】
ショルダーブロック列２０は、複数のラグ溝１３と、複数のブロック２１を有する。制御ブロック列３０は、複数の横溝１４と、複数のブロック３１を有する。ここでは、制御ブロック列３０は、中央ブロック列であり、トレッド中央部３を含むトレッド部２の中央領域に配置されている。また、２つの制御ブロック列３０が、トレッド中央部３及び第１周方向溝１１のタイヤ幅方向Ｋの両側に配置されている。複数の横溝１４は、第１周方向溝１１からタイヤ幅方向Ｋの両外側に向かって延びる。第１周方向溝１１は、複数のブロック３１のトレッド中央部３側の壁面に沿って延びる。第２周方向溝１２は、複数のブロック３１のショルダー部４側の壁面に沿って延びる。
【００４２】
タイヤ５のブロック３１は、図２に示すタイヤ１のブロック３１と同じ構成を有する。複数のブロック３１の各ブロック３１は、トレッド中央部３側（タイヤ幅方向Ｋの内側）の第１壁面３２と、ショルダー部４側（タイヤ幅方向Ｋの外側）の第２壁面３３と、トレッド中央部３側の第１ブロック角部３４と、ショルダー部４側の第２ブロック角部３５を有する。第１仮想面３６は、第１壁面３２を延長した延長面であり、第２仮想面３７は、第２壁面３３を延長した延長面である。第１壁面３２は、気流の下流側Ｈに向かって、タイヤ周方向Ｓに対してタイヤ幅方向Ｋの外側（ショルダー部４側）に傾斜する湾曲面である。第１周方向溝１１の溝幅Ｗは、ブロック３１の第１壁面３２において、気流の下流側Ｈに向かって次第に広くなる。
【００４３】
ブロック３１のトレッド中央部３側で、第１壁面３２は、気流の下流側Ｈの横溝１４の内側に向かって湾曲する。第２壁面３３は、気流の下流側Ｈに向かって、タイヤ周方向Ｓに対してタイヤ幅方向Ｋの内側（トレッド中央部３側）に傾斜する平面である。タイヤ周方向Ｓに隣り合う気流の上流側Ｇと下流側Ｈの２つのブロック３１をみたときに、上流側Ｇのブロック３１の第１仮想面３６は、タイヤ幅方向Ｋの外側に向かって延長される。制御ブロック列３０の全てのブロック３１において、第１仮想面３６は、２つのブロック３１の間の横溝１４の内側に向かって延長される。上流側Ｇのブロック３１の第２仮想面３７は、下流側Ｈのブロック３１の第２ブロック角部３５と交わり、又は、第２ブロック角部３５のタイヤ幅方向Ｋの外側（ショルダー部４側）で第２周方向溝１２内の位置を通過する。第２仮想面３７が第２周方向溝１２内の位置を通過するときには、第２仮想面３７は、第２ブロック角部３５からタイヤ幅方向Ｋに離れた第２周方向溝１２内の位置を通過する。
【００４４】
タイヤ５では、トレッド中央部３に位置する第１周方向溝１１の放熱性を向上させて、第１周方向溝１１によるトレッド部２の冷却効果を高くすることができる。これに伴い、トレッド中央部３及びトレッド中央部３の周辺部で、トレッド部２を冷却して、トレッド部２の温度の上昇を抑制することができる。トレッド部２の耐久性に関し、例えば、トレッド部２にセパレーションが発生するのを抑制できるため、トレッド部２の耐セパレーション性を向上することができる。
【００４５】
なお、第１周方向溝１１と２つの第２周方向溝１２に加えて、第２周方向溝１２とショルダー部４の間に、１つ以上の周方向溝を形成してもよい。この場合には、第２周方向溝１２とショルダー部４の間に、複数のブロック列又はリブが配置される。また、タイヤ５の制御ブロック列３０には、ブロック３１に替えて、図４〜図６に示すブロック４１、５１、６１を配置してもよい。
【００４６】
次に、ブロックの他の例について説明する。以下の各ブロックは、ブロック３１の一部の形状を変更した例であり、上記した効果と同様の効果を発揮する。各ブロックについて、ブロック３１と同じ構成にはブロック３１と同じ名称を付し、各構成の詳細な説明は省略する。また、以下の説明では、既に説明した事項と同じ事項の説明は省略する。
図９〜図１１は、タイヤ５のブロック４１、７１、８１を示す平面図であり、図８と同様に、ブロック４１、７１、８１を含むトレッドパターンの一部を示している。
【００４７】
図９に示すブロック４１は、図４に示すブロック４１と同じ構成を有する。ブロック４１は、第１壁面４２と、第２壁面４３と、第１ブロック角部４４と、第２ブロック角部４５を有する。第１仮想面４６は、第１壁面４２を延長した延長面であり、第２仮想面４７は、第２壁面４３を延長した延長面である。ブロック４１の第１壁面４２は、気流の下流側Ｈに向かって、タイヤ周方向Ｓに対してタイヤ幅方向Ｋの外側（ショルダー部４側）に傾斜する平面である。第１壁面４２は、気流の下流側Ｈの横溝１４の内側に向かって傾斜する。この第１壁面４２では、空気が第１周方向溝１１から横溝１４に向かって流れ易くなる。そのため、第１壁面４２の周辺で空気の圧力を確実に低くできるとともに、第１周方向溝１１内の気流を更に加速することができる。
【００４８】
図１０に示すブロック７１では、ブロック７１をタイヤ半径方向外側からみた平面図において、ブロック７１が、タイヤ周方向Ｓの中心を通る中心線７８に関し線対称に形成されている。そのため、ブロック７１は、中心線７８の両側に、第１壁面７２と、第２壁面７３と、第１ブロック角部７４と、第２ブロック角部７５を有する。また、第１仮想面７６は、中心線７８の両側の第１壁面７２を延長した延長面であり、第２仮想面７７は、中心線７８の両側の第２壁面７３を延長した延長面である。第２壁面７３は、ブロック７１内に窪んだ湾曲面であり、２つの第２壁面７３は、中心線７８で交わる。このブロック７１では、タイヤ回転方向Ｒをタイヤ周方向Ｓの両方向に設定することができる。即ち、気流方向Ｆが反対方向になったときでも、ブロック７１は、ブロック３１と同様の条件を満たし、ブロック３１と同様に作用する。従って、タイヤ装着時に、タイヤ回転方向Ｒを指定する必要がなく、ユーザの利便性が向上する。
【００４９】
図１１に示すブロック８１では、ブロック７１と同様に、ブロック８１をタイヤ半径方向外側からみた平面図において、ブロック８１が、タイヤ周方向Ｓの中心を通る中心線８８に関し線対称に形成されている。そのため、ブロック８１は、中心線８８の両側に、第１壁面８２と、第２壁面８３と、第１ブロック角部８４と、第２ブロック角部８５を有する。また、第１仮想面８６は、中心線８８の両側の第１壁面８２を延長した延長面であり、第２仮想面８７は、中心線８８の両側の第２壁面８３を延長した延長面である。第２壁面８３は、ブロック８１内に窪んだ湾曲面であり、２つの第２壁面８３は、中心線８８で交わる。ブロック８１の第１壁面８２は、ブロック４１の第１壁面４２と同様に、気流の下流側Ｈに向かって、タイヤ周方向Ｓに対してタイヤ幅方向Ｋの外側に傾斜する平面である。第１壁面８２は、気流の下流側Ｈの横溝１４の内側に向かって傾斜する。このブロック８１では、ブロック７１と同様に、タイヤ回転方向Ｒをタイヤ周方向Ｓの両方向に設定することができる。即ち、気流方向Ｆが反対方向になったときでも、ブロック８１は、ブロック３１と同様の条件を満たし、ブロック３１と同様の効果を発揮する。従って、タイヤ装着時に、タイヤ回転方向Ｒを指定する必要がなく、ユーザの利便性が向上する。
【００５０】
なお、タイヤ１が重荷重用タイヤ（例えば、トラック・バス用タイヤ）であるときには、トレッド部２の発熱量が多くなる傾向がある。そのため、本発明は、重荷重用タイヤに好適である。ただし、本発明は、重荷重用タイヤ以外の種々のタイヤに適用することができる。
【００５１】
（タイヤ試験）
第１実施形態のタイヤ１の効果を確認するため、２つの実施例のタイヤ（実施品１、２という）と従来例のタイヤ（従来品１という）を作製して、それらの性能を評価した。実施品１、２は、制御ブロック列３０に、図５に示す複数のブロック５１を備えている。また、実施品２では、第１周方向溝１１の溝幅Ｗが横溝１４の溝幅よりも広く、横溝１４の溝幅が第２周方向溝１２の溝幅よりも広い。即ち、実施品２では、第１周方向溝１１の全体が横溝１４の最も広い部分よりも広く、横溝１４の全体が第２周方向溝１２の最も広い部分よりも広い。実施品１の溝幅の条件は、実施品２の溝幅の条件と相違する。具体的には、実施品１では、第１周方向溝１１の最も広い部分が横溝１４及び第２周方向溝１２よりも広く、横溝１４と第２周方向溝１２が同等の溝幅に形成されている。従来品１では、制御ブロック列３０の複数のブロックが実施品１と相違する。
【００５２】
図１２は、従来品１のトレッドパターンを示す平面図であり、図５と同様に、トレッドパターンの一部を示している。
図示のように、従来品１のタイヤ９０Ａでは、制御ブロック列３０のブロック９１をタイヤ半径方向外側からみた平面図において、ブロック９１が、タイヤ周方向Ｓの中心を通る中心線９８に関し線対称に形成されている。また、ブロック９１は、中心線９８の両側に、第１壁面９２と、第２壁面９３と、第１ブロック角部９４と、第２ブロック角部９５を有する。第２仮想面９７は、中心線９８の両側の第２壁面９３を延長した延長面である。タイヤ周方向Ｓに隣り合う気流の上流側Ｇと下流側Ｈの２つのブロック９１をみたときに、上流側Ｇのブロック９１の第２仮想面９７は、２つのブロック９１の間の横溝１４の内側に向かって延長されて、横溝１４内で下流側Ｈのブロック９１と交わる。第１周方向溝１１の溝幅Ｗは、第１壁面９２において、一定の幅である。
【００５３】
実施品１、２と従来品１を用いて、以下の条件でドラム耐久試験を実施した。
タイヤサイズ：１１Ｒ２２．５
リム幅：７．５０
タイヤの荷重：２７４０ｋｇｆ（＝２６．９ｋＮ）
タイヤの内圧：７００ｋＰａ
ドラムの速度：６５ｋｍ／ｈ
試験中の気温：３８℃
試験では、実施品１、２と従来品１をドラムの外周面に接触させて、実施品１、２と従来品１に同じ荷重を加えた。その状態で、ドラムを回転させて、実施品１、２と従来品１をドラムにより回転（走行）させた。これにより、実施品１、２と従来品１のベルトが耐えられる走行距離を測定して、実施品１、２と従来品１のベルト耐久性を評価した。また、実施品１、２と従来品１において、第１周方向溝１１の溝底における熱伝達率を測定して、第１周方向溝１１の放熱性を評価した。
【００５４】
【表１】
2016147843.tif 000003
【００５５】
表１に実施品１、２と従来品１の試験結果を示す。試験結果は、従来品１を１００とした指数で表しており、数値が大きいほど性能が高いことを示している。
表１に示すように、実施品１の熱伝達率（１５０）と実施品２の熱伝達率（１５３）は、従来品１の熱伝達率よりも大幅に高くなった。これより、実施品１、２では、第１周方向溝１１の放熱性が向上することが分かった。また、実施品１のベルト耐久性（１１５）と実施品２のベルト耐久性（１２０）は、従来品１のベルト耐久性よりも高くなった。実施品１、２では、第１周方向溝１１による冷却効果が高くなり、ベルト耐久性が向上することが分かった。実施品２の熱伝達率は実施品１の熱伝達率よりも高く、実施品２のベルト耐久性は実施品１のベルト耐久性よりも高い。これより、実施品２では、第１周方向溝１１の放熱性がより向上して、第１周方向溝１１による冷却効果がより高くなることが分かった。
【００５６】
第２実施形態のタイヤ５の効果を確認するため、２つの実施例のタイヤ（実施品３、４という）と従来例のタイヤ（従来品２という）を作製して、それらの性能を評価した。実施品３、４は、制御ブロック列３０に、図１０に示す複数のブロック７１を備えている。また、実施品４では、第１周方向溝１１の溝幅Ｗが横溝１４の溝幅よりも広く、横溝１４の溝幅が第２周方向溝１２の溝幅よりも広い。即ち、実施品４では、第１周方向溝１１の全体が横溝１４の最も広い部分よりも広く、横溝１４の全体が第２周方向溝１２の最も広い部分よりも広い。実施品３の溝幅の条件は、実施品４の溝幅の条件と相違する。具体的には、実施品３では、第１周方向溝１１の最も広い部分が横溝１４及び第２周方向溝１２よりも広く、横溝１４と第２周方向溝１２が同等の溝幅に形成されている。従来品２では、制御ブロック列３０の複数のブロックが実施品３と相違する。
【００５７】
図１３は、従来品２のトレッドパターンを示す平面図であり、図１０と同様に、トレッドパターンの一部を示している。
図示のように、従来品２のタイヤ９０Ｂでは、ブロック９１が、図１２に示すタイヤ９０Ａのブロック９１と同じ構成を有する。
【００５８】
実施品３、４と従来品２を用いて、上記した実施品１、２及び従来品１と同じ条件でドラム耐久試験を実施した。試験では、実施品３、４と従来品２のベルトが耐えられる走行距離を測定して、実施品３、４と従来品２のベルト耐久性を評価した。また、実施品３、４と従来品２のトレッド部２にセパレーションが発生する走行距離を測定して、実施品３、４と従来品２のトレッド部２の耐セパレーション性を評価した。実施品３、４と従来品２において、第１周方向溝１１の溝底における熱伝達率を測定して、第１周方向溝１１の放熱性も評価した。
【００５９】
【表２】
2016147843.tif 000004
【００６０】
表２に実施品３、４と従来品２の試験結果を示す。試験結果は、従来品２を１００とした指数で表しており、数値が大きいほど性能が高いことを示している。
表２に示すように、実施品３の熱伝達率（１５０）と実施品４の熱伝達率（１５３）は、従来品２の熱伝達率よりも大幅に高くなった。これより、実施品３、４では、第１周方向溝１１の放熱性が向上することが分かった。また、実施品３の耐セパレーション性（１２０）と実施品４の耐セパレーション性（１３０）は、従来品２の耐セパレーション性よりも高くなった。実施品３のベルト耐久性（１１２）と実施品４のベルト耐久性（１１２）は、従来品２のベルト耐久性よりも高くなった。実施品３、４では、第１周方向溝１１による冷却効果が高くなり、耐セパレーション性とベルト耐久性が向上することが分かった。
【００６１】
実施品４の熱伝達率は実施品３の熱伝達率よりも高い。また、実施品４の耐セパレーション性は実施品３の耐セパレーション性よりも高く、実施品４のベルト耐久性は実施品３のベルト耐久性と同等である。これより、実施品４では、第１周方向溝１１の放熱性がより向上して、第１周方向溝１１による冷却効果がより高くなることが分かった。
【符号の説明】
【００６２】
１・・・タイヤ、２・・・トレッド部、３・・・トレッド中央部、４・・・ショルダー部、５・・・タイヤ、１１・・・第１周方向溝、１２・・・第２周方向溝、１３・・・ラグ溝、１４・・・横溝、１５・・・隆起部、２０・・・ショルダーブロック列、２１・・・ブロック、３０・・・制御ブロック列、３１・・・ブロック、３２・・・第１壁面、３３・・・第２壁面、３４・・・第１ブロック角部、３５・・・第２ブロック角部、３６・・・第１仮想面、３７・・・第２仮想面、３８・・・仮想交差位置、４１・・・ブロック、４２・・・第１壁面、４３・・・第２壁面、４４・・・第１ブロック角部、４５・・・第２ブロック角部、４６・・・第１仮想面、４７・・・第２仮想面、５１・・・ブロック、５２・・・第１壁面、５３・・・第２壁面、５４・・・第１ブロック角部、５５・・・第２ブロック角部、５６・・・第１仮想面、５７・・・第２仮想面、５８・・・中心線、６１・・・ブロック、６２・・・第１壁面、６３・・・第２壁面、６４・・・第１ブロック角部、６５・・・第２ブロック角部、６６・・・第１仮想面、６７・・・第２仮想面、６８・・・中心線、７１・・・ブロック、７２・・・第１壁面、７３・・・第２壁面、７４・・・第１ブロック角部、７５・・・第２ブロック角部、７６・・・第１仮想面、７７・・・第２仮想面、７８・・・中心線、８１・・・ブロック、８２・・・第１壁面、８３・・・第２壁面、８４・・・第１ブロック角部、８５・・・第２ブロック角部、８６・・・第１仮想面、８７・・・第２仮想面、８８・・・中心線、Ｆ・・・気流方向、Ｇ・・・上流側、Ｈ・・・下流側、Ｋ・・・タイヤ幅方向、Ｒ・・・タイヤ回転方向、Ｓ・・・タイヤ周方向、Ｗ・・・溝幅。
【図１】
2016147843.tif 000005
【図２】
2016147843.tif 000006
【図３】
2016147843.tif 000007
【図４】
2016147843.tif 000008
【図５】
2016147843.tif 000009
【図６】
2016147843.tif 000010
【図７】
2016147843.tif 000011
【図８】
2016147843.tif 000012
【図９】
2016147843.tif 000013
【図１０】
2016147843.tif 000014
【図１１】
2016147843.tif 000015
【図１２】
2016147843.tif 000016
【図１３】
2016147843.tif 000017
【国際調査報告】
2016147843.tif 000018
2016147843.tif 000019
2016147843.tif 000020
2016147843.tif 000021